(57)【要約】【課題】棚受けブラケットの構成を簡易にすると共に、部品種類を少なくできる商品陳列棚及び棚受けブラケットの提供することである。【解決手段】本発明の商品陳列棚１は、支柱３に装着する棚受けブラケット５と、棚受けブラケット５に装着する棚板７と、棚板７の仕切り板４とを備え、仕切り板４は係合部４１を備えており、棚受けブラケット５及び棚板７は仕切り板４の係合部４１に脱着自在に係合する被係合部２３、３３を備えるようにした。【選択図】    図１
2004344447.tif 000002
【特許請求の範囲】
【請求項１】
支柱に装着する棚受けブラケットと、棚受けブラケットに装着する棚板と、棚板の仕切り板とを備え、仕切り板は係合部を備えており、棚受けブラケット及び棚板は仕切り板の係合部に脱着自在に係合する被係合部を備えることを特徴とする商品陳列棚。
【請求項２】
棚受けブラケットは、仕切り板を棚受けブラケットに装着した場合に仕切り板の側面に当接する突起を備えることを特徴とする請求項１に記載の商品陳列棚。
【請求項３】
棚板は底板と背板とを備え、仕切り板に設ける係合部は仕切り板における底板との対向部と背板との対向部とに夫々設けられていることを特徴とする請求項１又は２に記載の商品陳列棚。
【請求項４】
棚板の長手方向の両端縁には、棚板の長手方向の中央側に凹む凹部が形成されていることを特徴とする請求項１〜３の何れか一項に記載の商品陳列棚。
【請求項５】
支柱に装着し且つ棚板を受ける棚受けブラケットにおいて、仕切り板の係合部に脱着自在に係合する被係合部が設けられていることを特徴とする棚受けブラケット。
【発明の詳細な説明】
【０００１】
【発明の属する技術分野】
本発明は、ビデオテープ、ＣＤ、ＭＤ、ＤＶＤ、ゲームソフトのパッケージ等の商品を陳列する商品陳列棚に関する。
【０００２】
【従来の技術】
従来、ビデオテープ、ＣＤ、ＤＶＤ、ゲームソフトや書籍等の略扁平形状の商品を陳列する商品陳列棚において、特許文献１の陳列棚には、支柱に装着する棚受けブラケットに仕切り板が一体に設けてあり、棚板に中仕切り用の仕切り板を設けた技術が開示されている。
【０００３】
【特許文献１】
特開平８−１７３２８３号公報
【０００４】
【発明が解決しようとする課題】
しかし、特許文献１の技術では、仕切り板が棚受けブラケットと一体になっているため、棚受けブラケットの構成が複雑で、且つかさばるという問題がある。
【０００５】
また、棚板には商品の区分けを行う中仕切り用の仕切り板と棚板の左右端の仕切り板とが別々に必要であり、部品種類が多くなるという問題がある。
【０００６】
本発明は、上述した事情に鑑みなされたもので、棚受けブラケットの構成を簡易にすると共に、部品種類を少なくできる商品陳列棚及び棚受けブラケットの提供を目的とする。
【０００７】
【課題を解決するための手段】
上記目的を達成するために、請求項１に記載の発明は、支柱に装着する棚受けブラケットと、棚受けブラケットに装着する棚板と、棚板の仕切り板とを備え、仕切り板は係合部を備えており、棚受けブラケット及び棚板は仕切り板の係合部に脱着自在に係合する被係合部を備えることを特徴とする。
【０００８】
この請求項１に記載の発明では、棚受けブラケットに仕切り板を装着する場合には、仕切り板の係合部を棚受けブラケットにある被係合部に係合する。
【０００９】
一方、仕切り板を棚板の中仕切りとして用いる場合には、棚板に設けた被係合部に仕切り板の係合部を係合し、仕切り板を棚板に装着する。
【００１０】
本発明では、上述のように、棚受けブラケット及び棚板に仕切り板の係合部が係合する被係合部を設けているので、一種類の仕切り板を、棚板の両端用と棚板の中仕切り用との兼用ができ、部品種類を少なくできる。
【００１１】
また、仕切り板が棚受けブラケットと脱着自在に設けており、仕切り板を棚受けブラケットに一体に設けていないので、棚受けブラケットの構成を簡易にすることができる。
【００１２】
請求項２に記載の発明は、請求項１に記載の発明において、棚受けブラケットは、仕切り板を棚受けブラケットに装着した場合に仕切り板の側面に当接する突起を備えることを特徴とする。
【００１３】
この請求項２に記載の発明では、請求項１に記載の発明と同様な作用効果を奏するとともに、仕切り板の側面が棚受けブラケットに設けた突起に当接するので、仕切り板の移動が規制され、仕切り板のがたつきを防止することができる。
【００１４】
請求項３に記載の発明は、請求項１又は２に記載の発明において、棚板は底板と背板とを備え、仕切り板に設ける係合部は仕切り板における底板との対向部と背板との対向部とに夫々設けられていることを特徴とする。
【００１５】
この請求項３に記載の発明は、請求項１又は２に記載の発明と同様な作用効果を奏するとともに、底板側と背板側とを入れかえて棚板に取り付けでき、取り付け方向を変えて仕切り板を取り付けできる。
【００１６】
請求項４に記載の発明は、請求項１〜３のいずれかに記載の発明において、棚板の長手方向の両端縁には、棚板の長手方向の中央側に凹む凹部が形成されていることを特徴とする。
【００１７】
この請求項４に記載の発明は、請求項１〜３のいずれに記載の発明と同様な作用効果を奏するとともに、仕切り板を棚受けブラケットに装着した場合に、仕切り板が棚板の両端縁の凹部に入り込むようになるので、仕切り板が棚板の長手方向の端からはみ出さず、外観が良い。
【００１８】
請求項５に記載の発明は、支柱に装着し且つ棚板を受ける棚受けブラケットにおいて、仕切り板の係合部に脱着自在に係合する被係合部が設けられていることを特徴とする。
【００１９】
この請求項５に記載の発明は、仕切り板を棚受けブラケットに脱着自在なので、棚受けブラケットの構成を簡易にすると共に、一種類の仕切り板を棚板の両端用と棚板の中仕切り用との兼用ができ、部品種類を少なくできる。
【００２０】
【発明の実施の形態】
以下に、添付図面の図１〜図５を参照して本発明の実施の形態を詳細に説明する。図１は本発明の実施の形態にかかる商品陳列棚の分解斜視図であり、図２は図１に示す商品陳列棚の縦断面図であり、図３は仕切り板の向きを変えて棚板に装着した際の商品陳列棚の斜視図であり、図４は陳列棚同士を横に並べて設置したときの商品陳列棚の正面図、図５は図４に示す商品陳列棚の分解斜視図である。
【００２１】
本実施の形態にかかる商品陳列棚１は、ビデオテープ、ＣＤ、ゲームソフトのパッケージ等を陳列するものである。
【００２２】
この商品陳列棚１は、支柱３に装着する棚受けブラケット５と、棚受けブラケット５に装着する棚板７と、棚板７の仕切り板４とを備えており、支柱３には、上下に多数の係止孔８が所定間隔をあけて列状に形成されており、任意の位置に棚受けブラケット５を装着できるようになっている。
【００２３】
棚板７は底板９と背板１１とが縦断面が略Ｌ字形状に形成されている。底板９にはその先端に溝１３が棚板７の長手方向に沿って形成されており、商品の表面を正面に向けて溝１３に立てたり、商品の奥行き寸法が長い場合には奥行き寸法を長くして商品を受けたりできるようになっている。
【００２４】
棚板７の長手方向両端部には、底板９と背板１１との夫々の裏面に突設した係止部１５が設けられている。各係止部１５は棚板７を切り起こして形成された断面くの字状の片である。係止部１５は、係止部１５の弾性変形により棚板裏面との間に後述する棚受けブラケット５の被係止部１７を脱着自在に装着するようになっている。
【００２５】
棚板７の背板１１には、仕切り板４の一方の係合部４１が係合する被係合部２３が形成されており、棚板７の底板９には、仕切り板４に設けられた他方の係合部４３が挿通する挿通孔２４が形成されており、必要に応じて商品毎に区画する仕切り板４を棚板７に取り付け可能になっている。尚、棚板７は、溝１３が背板側になるように底板９と背板１１とを入れかえて、棚板７を棚受けブラケット５に装着しても良い。
【００２６】
棚板７の長手方向の両端縁には、棚板７の長手方向の中央側に凹む凹部４９が形成されている。凹部４９の凹み寸法は、仕切り板４の厚みに突起３１の厚みを加えた寸法とほぼ同じ寸法になるように設けている。図４に示すように、棚受けブラケット５に棚板７を装着した場合に、仕切り板４が凹部４９に入り込むので、仕切り板４が棚板７の長手方向の両端からはみ出さず、外観が良い。
【００２７】
棚受けブラケット５は、棚板７の底板９を受ける水平部２５と、棚板７の背板１１を受ける垂直部２７と、支柱３への取付部２９とが樹脂材により一体成形されている。尚、棚受けブラケット５は樹脂材以外であっても良い。
【００２８】
垂直部２７には、棚板７の係止部１５を脱着自在に係止する被係止部１７が設けられている。被係止部１７は貫通孔１７ａと、貫通孔１７ａから下側に向けて開口する補助孔１７ｂが形成されており、棚板７の係止部１５を貫通孔１７ａに通した後、棚板７を下げることで、棚板７を棚受けブラケット５に装着している。
【００２９】
垂直部２７の上部には、仕切り板４との被係合部３３が形成されており、仕切り板４の一方の係合部４１を被係合部３３に脱着自在に係合できるようになっている。また、被係合部３３の水平部２５からの寸法は、棚板７に形成する被係合部２３の底板９からの寸法と同じ寸法位置に形成されている。
【００３０】
水平部２５には、棚板７の底板９の係止部１５を挿通する挿通孔１６が形成されている。また、水平部２５には、挿通孔１６の隣りに仕切り板４の他方の係合部４３が挿通する挿通孔３４が形成されている。
【００３１】
棚受けブラケット５の端部には、水平部２５と垂直部２７とに亘って突起３１が設けられており、仕切り板４を棚受けブラケット５に装着した場合に仕切り板４の側面が当接するようになっている。
【００３２】
取付部２９には、上下方向に４つの装着片２９ａ、２９ｂ、２９ｃ、２９ｄが設けられており、上から第１及び第３番目の装着片２９ａ、２９ｃには、２つの嵌合溝３５ａと３５ｂとが形成されている。そして、共通の角度の嵌合溝３５ａ又は３５ｂを支柱の係止溝８に係止することにより、棚受けブラケット５の支柱３に対する取り付け角度を変えられるようになっている。
【００３３】
仕切り板４は、側面視略四角形状を成しており、仕切り板４における底板９との対向部４５と背板１１との対向部４７には、棚受けブラケット５及び棚板７に形成された被係合部２３、３３に係合する一方及び他方係合部４１、４３が夫々設けられている。
【００３４】
また、一方及び他方の係合部４１、４３は、仕切り板４の隅部２１からの長さがそれぞれ同じ寸法（図２ａ参照）となるような位置に形成されている。
【００３５】
次に、本実施の形態にかかる商品陳列棚及び棚受けブラケットの組み立て方法及び作用について説明する。支柱３に棚受けブラケット５を装着する場合には、支柱３の係止孔８に取付部２９の装着片２９ａ〜２９ｄを係止する。そして棚板７を棚受けブラケット５に装着する場合には、棚板７の背板１１の裏面に設けた係止部１５を棚受けブラケット５の垂直部２７にある被係止部１７に通した後、棚板７を下方に下げて係止部１５を被係止部１７に嵌合する。
【００３６】
棚受けブラケット５に仕切り板４を装着する場合には、一方の係合部４１を棚受けブラケット５の垂直部２７にある被係合部３３に通した後、仕切り板４を下方に下げて一方の係合部４１を被係合部３３に係合する。また、仕切り板４に設けた他方の係合部４３は、棚受けブラケット５の水平部２５にある挿通孔３４に挿通させる。
【００３７】
仕切り板４を棚受けブラケット５に装着した場合、仕切り板４の側面が水平部２５と垂直部２７とに亘って設けられた突起に当接するので、仕切り板４の移動が規制され仕切り板４のがたつきを防止できる。
【００３８】
一方、仕切り板４を棚板７の中仕切り用として用いる場合には、棚板７の背板１１に設けた被係合部２３に仕切り板４の一方の係合部４１を係合することによって、仕切り板４を棚板７に装着する。
【００３９】
このように、棚板７の背板１１には、棚受けブラケット５の垂直部２７に設けた被係合部３３の水平部２５からの寸法とほぼ同じ寸法位置になるように被係合部２３を設けたので、棚受けブラケット５で使用した仕切り板４を、棚板７の中仕切り用としてそのまま使用できる。
【００４０】
一方、図３に示すように、一方の係合部４１を底板９側とし他方の係合部４３を背板１１側として、仕切り板４を棚板７に装着する場合には、他方の係合部４３を棚板７の背板１１にある被係合部２３に挿通した後、下方に下げて、他方の係合部４３を被係合部２３に係合する。同時に、仕切り板４の一方の係合部４１を棚板７の底板９にある挿通孔２４に挿通して、仕切り板４を棚板７に装着する。
【００４１】
本発明では、上述のように、一方及び他方の係合部４１、４３は、仕切り板４の隅部２１からの寸法がそれぞれ同じ寸法となるような位置に形成しているので、仕切り板４の一方の係合部４１を底板９側にして仕切り板４を取り付けることができ、図３に示すように、棚板７の端部用と中仕切り用とに分けて、用途に合わせた仕切り板４の取り付けができる。
【００４２】
さらに図４及び図５に示すように、支柱３の係止孔８に一対の棚受けブラケット５を装着し、棚板７を横に並べて設けた場合には、仕切り板４が棚板７の両端縁の凹部４９に入り込むようになるので、隣り合う棚板７間の隙間を小さくできる（図４Ｍ参照）。また、凹部４９の凹み寸法は、仕切り板４の厚みに突起３１の厚みを加えた寸法とほぼ同じ寸法になるように設けているので、仕切り板４のぶれやがたつきを防止できる。
【００４３】
仕切り板４が棚受けブラケット５から脱着自在なので、必要に応じて棚受けブラケット５の仕切り板４を取り外して使用することもでき、商品を棚板７に設置する際の自由度が増す。
【００４４】
本発明は、上述した実施の形態に限定されず、本発明の要旨を逸脱しない範囲で種々変形可能である。
【００４５】
棚板ブラケット５には仕切り板４の側面が当接する突起を設けたが、図６に示すように突起を設けなくとも良いし、棚板ブラケット５の水平部２５又は垂直部２７の何れか一方にのみ設けても良い。
【００４６】
棚板ブラケット５は、水平部２５を備えずに垂直部２７のみの構成であっても良い。
凹部４９の凹み寸法は、仕切り板４の厚みと略同じ寸法にしても良い。
【００４７】
突起は、水平部２５のみに設けてあっても良いし、垂直部２７のみに設けてあっても良い。また、突起３１は連続することなく、部分的に突設していても良い。
仕切り板４は、側面視略四角形状としたが側面視略三角形状であっても良い。
陳列商品は、ビデオテープやＣＤパッケージ等に限定されない。
【００４８】
【発明の効果】
請求項１に記載の発明によれば、棚受けブラケット及び棚板に仕切り板の係合部が係合する被係合部を設けているので、一種類の仕切り板を、棚板の両端用と棚板の中仕切り用との兼用ができ、部品種類を少なくできる。
【００４９】
また、仕切り板が棚受けブラケットと脱着自在に設けており、仕切り板を棚受けブラケットに一体に設けていないので、棚受けブラケットの構成を簡易にすることができる。
【００５０】
請求項２に記載の発明によれば、請求項１に記載の発明と同様な効果を奏するとともに、仕切り板の側面が棚受けブラケットに設けた突起に当接するので、仕切り板の移動が規制され、仕切り板のがたつきを防止することができる。
【００５１】
請求項３に記載の発明によれば、請求項１又は２に記載の発明と同様な効果を奏するとともに、底板側と背板側とを入れかえて棚板に取り付けでき、取り付け方向を変えて仕切り板を取り付けできる。
【００５２】
請求項４に記載の発明によれば、請求項１〜３のいずれに記載の発明と同様な効果を奏するとともに、仕切り板を棚受けブラケットに装着した場合に、仕切り板が棚板の端縁の凹部に入り込むようになるので、仕切り板が棚板の長手方向の端からはみ出さず、外観が良い。
【００５３】
請求項５に記載の発明によれば、仕切り板を棚受けブラケットに脱着自在なので、棚受けブラケットの構成を簡易にすると共に、一種類の仕切り板を棚板の両端用と棚板の中仕切り用との兼用ができ、部品種類を少なくできる。
【図面の簡単な説明】
【図１】本発明の実施の形態にかかる商品陳列棚の分解斜視図である。
【図２】図１に示す商品陳列棚の縦断面図である。
【図３】仕切り板の向きを変えて棚板に取り付けた際の商品陳列棚の斜視図である。
【図４】陳列棚同士を横に並べて設置したときの商品陳列棚の正面図である。
【図５】図４に示す商品陳列棚の分解斜視図である。
【図６】図１に示す商品陳列棚の棚受けブラケットの変形例を示す斜視図である。
【符号の説明】
１    商品陳列棚
３    支柱
４    仕切り板
５    棚受けブラケット
７    棚板
９    底板
１１  背板
２３  被係合部
３１  突起
３３  被係合部
４１  一方の係合部
４３  他方の係合部
４５  背板の対向部
４７  底板の対向部
【図１】
2004344447.tif 000003
【図２】
2004344447.tif 000004
【図３】
2004344447.tif 000005
【図４】
2004344447.tif 000006
【図５】
2004344447.tif 000007
【図６】
2004344447.tif 000008